(57)【要約】【課題】電子ガイド機能を備えたデジタル放送受信装置において、電子ガイドを利用するユーザが必要とするガイド情報を適切にユーザの追加操作を求めることなく提供することができるデジタル放送受信機を提供する。【解決手段】ユーザの受信機操作をデータ蓄積部に格納する操作保存部と、データ蓄積部に蓄積された操作履歴データを用いて、前記操作ガイドデータ中の操作ガイド情報を抽出するデータ抽出部と操作ガイドデータを画面表示部に表示するガイド情報表示制御部を具備することで、ユーザがガイド情報を参照しようとした時に、それまでの操作履歴データから表示すべき操作ガイドのデータを識別し、ガイドデータから更に絞り込んだガイド情報をユーザに掲示する。【選択図】図１
2008288659.tif 000002
【特許請求の範囲】
【請求項１】
情報を提示する画面表示部と、
操作を受け付ける操作入力部と、
操作の履歴を記憶する操作履歴保存部と、
操作毎のガイド情報を含む操作ガイドデータと、前記操作履歴と前記操作ガイドデータ中の操作ガイド情報とを対応づける操作ガイド関連付けデータと、を格納するデータ蓄積部と、
前記操作履歴保存部中の操作履歴における特定操作以降の操作履歴を基に、前記操作ガイド関連付けデータを用いて、前記操作ガイドデータ中の操作ガイド情報を抽出するデータ抽出部と、
前記抽出した操作ガイド情報を前記画面表示部に表示する画面表示制御部と、
を備えた操作ガイド表示装置。
【請求項２】
前記データ蓄積部は、画面表示方法に関する情報を含む操作ガイド関連付けデータを格納し、
前記データ抽出部は、前記操作ガイド情報と前記画面表示方法に関する情報とを抽出し、
前記画面表示制御部は、前記画面表示方法に関する情報に基づいて、前記操作ガイド情報を前記画面表示部に表示する請求項１記載の操作ガイド表示装置。
【請求項３】
前記操作履歴保存部は、操作の履歴を、一定のサイズで循環して蓄える請求項１又は２記載の操作ガイド表示装置。
【請求項４】
前記データ蓄積部上の前記操作ガイドデータと前記操作ガイド関連付けデータ、及び前記操作履歴保存部上の前記操作履歴を、複数の媒体に分散し保存する請求項１から３の何れかに記載の操作ガイド表示装置。
【請求項５】
前記データ蓄積部上の前記操作ガイドデータと前記操作ガイド関連付けデータ、及び前記操作履歴保存部上の前記操作履歴を、個別にデータ変更するデータ更新部を、備えた請求項１から４の何れかに記載の操作ガイド表示装置。
【発明の詳細な説明】
【技術分野】
【０００１】
本発明は、デジタル放送の受信装置等を対象に電子ガイドを表示する装置に関し、より特定的には、受信装置内部に電子データとして操作ガイド情報を備えた操作ガイド表示装置に関する。
【背景技術】
【０００２】
日本国内では、地上波テレビ放送のデジタル化が進められており、デジタル放送受信装置の普及が進む一方で、テレビ放送の視聴以外の用途にもデジタル放送受信装置が使用されるようになっている。
【０００３】
例えば、インターネット接続を利用したオンラインコンテンツの視聴やＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）接続を利用した機器操作、さらに無線を活用した他機器との接続連携など、様々な用途が想定されている。
【０００４】
デジタル放送受信装置が多機能化し便利になる一方で、機器操作の慣れていない人には単純なテレビ視聴操作以外の事を行うにも、操作方法が分からないといった新たな課題が浮上している。従来、これらの操作方法を記述した紙媒体の取扱説明書によってユーザはその操作方法を調べることができた。しかしながら、多機能化と操作の複雑化により、容易には操作方法のすべてを理解できない問題があった。
【０００５】
現在のデジタル放送受信装置では、従来の紙媒体の取扱説明書に加えて、直接デジタル放送受信装置から、ガイドボタンなどを押すことで画面上から操作内容を直接参照する電子ガイド機能（電子取扱説明書機能）などが取り入れられている。電子ガイド機能は、索引や目的別の検索機能など、いくつかの検索方法が既に提供されている。電子ガイドの開始ページ（ガイド情報の先頭）から検索する以外にも、特定のエラーメッセージから、そのエラーメッセージの意味を説明するガイド情報を表示するといった方式が取り入れられている。
【０００６】
しかしながら、前述の方式でもユーザが実際に受信装置の操作を行いながら、その操作中のガイド情報を知りたい場合や、エラーメッセージが出ない場合などには、ユーザが一度その操作を中断し、ユーザ自身の操作によって知りたいことを探さなければならないという課題もある。
【０００７】
電子データから必要な情報を調べる場合、既にある電子文章から学習アルゴリズムや検索アルゴリズムを用いて、表示する情報の絞り込みを行う方法などがある。また、単に取扱説明書と同等の内容を表示するのみでなく、ユーザが自分の好みに応じてその表示方法を変更し、取扱説明書の内容を編集することで、利便性を向上させる手段も提案されている（特許文献１）。
【特許文献１】特開２００６−２６０２４９号公報
【発明の開示】
【発明が解決しようとする課題】
【０００８】
上記特許文献１において開示された方法において、ガイド情報を表示する場合、以下に示す問題点がある。（１）ガイド情報が格納されたデータは１つであり、どのようにデータを表示するかを決める判断は、編集操作に委ねられている。（２）表示内容を変更するためには、ユーザがどの情報が必要であるかを理解する必要がある。（３）ガイドデータの部分更新の用途には、編集内容の初期化などの更新が必要となる。
【課題を解決するための手段】
【０００９】
上記目的を達成するために、本発明の操作ガイド表示装置は、情報を提示する画面表示部と、操作を受け付ける操作入力部と、操作の履歴を記憶する操作履歴保存部と、操作毎のガイド情報を含む操作ガイドデータと、前記操作履歴と前記操作ガイドデータ中の操作ガイド情報とを対応づける操作ガイド関連付けデータと、を格納するデータ蓄積部と、前記操作履歴保存部中の操作履歴における特定操作以降の操作履歴を基に、前記操作ガイド関連付けデータを用いて、前記操作ガイドデータ中の操作ガイド情報を抽出するデータ抽出部と、前記抽出した操作ガイド情報を前記画面表示部に表示する画面表示制御部と、を備える。
【００１０】
上記の構成に係る操作ガイド表示装置において、前記データ蓄積部は、画面表示方法に関する情報を含む操作ガイド関連付けデータを格納し、前記データ抽出部は、前記操作ガイド情報と前記画面表示方法に関する情報とを抽出し、前記画面表示制御部は、前記画面表示方法に関する情報に基づいて、前記操作ガイド情報を前記画面表示部に表示するとしてもよい。
【００１１】
上記の構成に係る操作ガイド表示装置において、前記操作履歴保存部は、操作の履歴を、一定のサイズで循環して保存するとしてもよい。
【００１２】
上記の構成に係る操作ガイド表示装置において、前記データ蓄積部上の前記操作ガイドデータと前記操作ガイド関連付けデータ、及び前記操作履歴保存部上の前記操作履歴を、複数の媒体に分散し保存するとしてもよい。
【００１３】
上記の構成に係る操作ガイド表示装置において、前記データ蓄積部上の前記操作ガイドデータと前記操作ガイド関連付けデータ、及び前記操作履歴保存部上の前記操作履歴を、個別にデータ変更するデータ更新部を、備えるとしてもよい。
【発明の効果】
【００１４】
本発明によれば、ユーザがある程度の受信機操作を行い、その操作対象についての要点を絞り込んだ操作ガイド情報や用語などの補助情報が必要になった際に、それまでの受信機操作についての操作履歴を基に操作ガイド及び補助情報の表示を行うので、ユーザが必要とする内容に絞り込んだ表示を行うことができる。
【発明を実施するための最良の形態】
【００１５】
以下、本発明の実施の形態について、図面を参照して説明する。尚、この実施例により本発明が限定されるものではない。
【００１６】
（実施の形態１）
本発明による実施の形態１を図面に基づいて説明する。図１は本実施形態による操作ガイド表示装置の構成例を示す機能ブロック図である。本実施形態における操作ガイド表示装置は、例えば、家庭用デジタルテレビに、電子ガイド表示機能を付与した受信装置である。ただし、本実施例では電子ガイドの表示に関する構成のみを説明する。
【００１７】
ここで電子ガイドデータとは、取扱説明書などの電子データを示す。例えば、電子ガイドデータを構成するデータとして、汎用的なＨＴＭＬ（ＨｙｐｅｒＴｅｘｔ  Ｍａｒｋｕｐ  Ｌａｎｇｕａｇｅ）や画像データやＰＤＦ（Ｐｏｒｔａｂｌｅ  Ｄｏｃｕｍｅｎｔ  Ｆｏｒｍａｔ）といった種類がある。
【００１８】
図１において、受信装置１は操作入力部２、操作保存部３、画面表示部４、データ蓄積部５、画面制御部９、データ合成部１０、データ抽出部１１、データ更新部１２を備えて構成されている。さらにデータ蓄積部５は、電子ガイドデータ６、操作ガイド関連付けデータ７、操作履歴データ８から構成されている。
【００１９】
図２は、本実施形態においてユーザがガイドデータを参照するためにガイドキーを押し、電子ガイドの表示を行う処理を説明するフローチャートである。ステップＳ１０１の状態においては、受信装置の電源がオンの状態で、既にユーザからの受信装置操作を受け付けている状態にある。
【００２０】
ステップＳ１０１の電源オン状態からガイドキー以外の操作を行うと（Ｓ１０２でＮｏの場合）、ステップＳ１０３でその操作状態を操作保存部３によって保存し、再び操作受け付け状態（Ｓ１０１）に戻る。
【００２１】
ステップ１０１の電源オン状態からガイドキーを押す操作が行われた場合（Ｓ１０２でＹｅｓの場合）、ステップ１０４では、それまでの操作履歴データ８から最新のユーザ操作情報をデータ抽出部１１にて検出する。
【００２２】
ユーザの操作データが検出されると、ステップＳ１０５ではデータ抽出部１１にて絞り込まれた操作データを元に、操作ガイド関連付けデータ７から状態遷移テーブルと表示制御テーブル検索する（Ｓ１０５，Ｓ１０６）。
【００２３】
ステップＳ１０７では、データ合成部１０にて、ステップＳ１０５とステップＳ１０６の処理によって導き出されたガイドデータの参照情報とガイドデータの表現パターンから、画面に出力するためのガイドデータ情報を作成する。
【００２４】
そして、ステップＳ１０８で、データ合成部１０で作成されたガイドデータに画面表示するための受信装置に合ったデータ形式に変換し、画面制御部９において画面表示制御を行うことで、画面表示部４を通してガイドデータが最終的にユーザに掲示される（ステップＳ１０９）。
【００２５】
次に、本実施形態で用いられる各種データについて説明する。
【００２６】
操作保存部３は、ユーザの受信機操作によって実施された操作を記憶し、データ蓄積部５の操作履歴データ８に保存する。図３は操作履歴データ８として保存するデータ形式を示した図である。受信装置１の操作履歴データ８は、ユーザが操作した結果を受けた受信機１の状態を保存している。「メニューモード」、「画質の調整」、「明るさの調整」という順番に操作が行われた時は、「ＭＥＮＵ」「ＤＩＳＰ＿ＡＤＪ」「ＢＲＩＧＨＴＮＥＳＳ」というデータが順番に保存される。保存順番は操作順番と必ず一致するように保存される。また、データ蓄積部５は、現在保存されている最新の操作履歴データ８の位置を記憶しており、次に保存すべき場所を「ＣＵＲＲＥＮＴ」データとして保存している。
【００２７】
操作履歴データ８上の操作について操作ポイントデータを定義する。操作ポイントデータは、その操作を行った際に、それ以前に表示されていた操作画面が閉じられ、新たな操作画面が表示される操作であり、それ以前の操作はリセットされるため、操作履歴データとしては操作ポイントデータ以降の操作を意識すればよく、例えば「ＭＥＮＵ」の操作が該当する。このように操作ポイントデータを定義することにより、ガイド表示及び補助情報の判定起点となる操作ポイントデータから最終操作ポイントデータまで残しておけばよく、すべての操作履歴を残す必要はなくなるため、データのサイズが無制限に大きくなる事を防ぎ、効率的な操作履歴データ蓄積を行うことができる。
【００２８】
操作履歴データ８を保存するサイズは、操作ポイントデータから次の操作ポイントデータまでが少なくとも１回は格納できるサイズを持つ。複数回の操作で、記憶領域の最後部まで書き込んだ後は、再び先頭から書き込み続ける。図２では、１２まで書き込みが行われた後、次の操作履歴は１に保存される。
【００２９】
操作ポイントデータは操作ガイド関連付けデータ７に保存されており、最後のユーザによる操作を判別するために使用される。図３のデータでは、「メニューモード」、「画質の調整」、「明るさの調整」と操作された後に、再度「メニューモード」（ＭＥＮＵ）、「音質の調整」（ＡＵＤＩＯ＿ＡＤＪ）、「サラウンド設定」（ＳＵＲＲＯＵＮＤ）の順番で操作された場合を示している。以下、操作ポイントから次の操作ポイントまでの一連の操作の流れ（上記の場合「ＭＥＮＵ」−「ＡＵＤＩＯ＿ＡＤＪ」−「ＳＵＲＲＯＵＮＤ」）をキーコマンドと呼ぶ。
【００３０】
操作ガイド関連付けデータ７は、操作履歴データ８の操作ポイントからの一連の操作が定義されており、キーコマンドに対応した電子ガイドデータ＊の表示すべきデータの情報や表示手段についての情報を格納する。図４は、例えば操作ポイント「ＭＥＮＵ」が押された後の操作状態に対応する操作ガイド関連付けデータ７に含まれる状態遷移テーブルを示している。それぞれのテーブルは操作ポイントデータを基準として分割されており、操作ポイント以降の定義（ｏｐ）とそれに対応するガイドデータのページ数（ｄｏｃｕｍｅｎｔ）及び、表示手段（ｖｉｅｗ）が定義されている。例えば、「設定」（ＳＥＴＵＰ）、「受信装置の設定」（ＳＹＳＴＥＭ）、「保護者ロック」（ＰＡＲＥＮＴ）、「パスワードの設定」（ＰＡＳＳＷＯＲＤ）と操作された場合は、電子ガイドの１３０ページを表示手段「Ｄ」で表示する。
【００３１】
また操作ガイド関連付けデータ７は、状態遷移テーブルに含まれる表示手段（ｖｉｅｗ）に対応する表示制御テーブルも格納する。図５は、例えば前記の状態遷移テーブルに対応する表示制御テーブルを示す。状態遷移テーブルから「ＤＩＳＰ＿ＡＤＪ」、「ＢＲＩＧＨＴＮＥＳＳ」で、指定された表示制御Ａ１に対応するものが、表示制御テーブルから検索され、表示パターン「ＨＩＤＥ」、領域は縦「４０」、横「４０」、幅「２０」、高さ「２０」が決定される。図６は、画面表示する前の合成前のガイドデータの内容を表した図であり、図７は、「ＨＩＤＥ」（隠す）という表現パターンを合成した後の画面表示を示す図である。例えば、「ＤＩＳＰ＿ＡＤＪ」「ＣＯＮＴＲＡＳＴ」の順で操作状態が変更した場合の表現制御Ａ２に対応する「ＰＩＣＫＵＰ」（拡大）という表現パターンで合成した場合は、図８で示される画面表示となる。
【００３２】
ユーザは、操作入力部２を用いて、データ更新部１２を介して、データ蓄積部５上の電子ガイドデータ６、操作ガイド関連付けデータ７及び操作履歴データ８のうち、その一部のデータのみを更新することができる。これにより、すべてのデータを更新する必要がない場合に、更新するデータのサイズを小さくすることができる。
【００３３】
また本実施の形態において、データ蓄積部５上の電子ガイドデータ６と操作ガイド関連付けデータ７と操作履歴データ８を分割して保存してもよい。これにより１つのデータサイズが大きくなった場合でも、異なる記憶装置にデータを分散したり、特定のデータのみを圧縮したりすることができる。これにより、受信装置のデータ構成の利便性を高めることができる。
【００３４】
（実施の形態２）
本発明による実施の形態２を図面に基づいて説明する。実施の形態２は操作ガイドを呼び出した際の操作が同じ場合であっても、その操作に至る操作履歴の相違によって、表示される操作ガイドが異なる例である。本実施の形態による受信装置の構成を示す機能ブロック図は実施の形態１と同一であり、説明を省略する。
【００３５】
図９は、ユーザが「購入時初回設定」から操作を開始し、「ネットワーク設定」の操作において、操作ガイドキーを押下した際のガイドデータの画面表示を示す図である。
【００３６】
この時の操作履歴データ８の内容を図１０に示す。「初期起動」、「地域設定」、「チャンネル設定」、「ネットワーク設定」の順に操作が行われ、操作履歴データ８には、「ＦＩＲＳＴ＿ＢＯＯＴ」、「ＲＥＧＩＯＮ＿ＳＥＴ」、「ＣＨＡＮＮＥＬ＿ＳＥＴ」、「ＮＥＴＷＯＲＫ＿ＳＥＴ」が格納される。
【００３７】
この操作履歴データを基に、操作ガイド関連付けデータ７を検索し、取得した操作ガイド関連付けデータを図１１に示す。この時の操作ポイントデータは「初期起動」（ＦＩＲＳＴ＿ＢＯＯＴ）であり、キーコマンドは「ＦＩＲＳＴ＿ＢＯＯＴ」−「ＲＥＧＩＯＮ＿ＳＥＴ」−「ＣＨＡＮＮＥＬ＿ＳＥＴ」−「ＮＥＴＷＯＲＫ＿ＳＥＴ」であるため、電子ガイドの１０ページを表示手段「Ｃ３」で表示する。この時、電子ガイド情報としては、ネットワーク設定の詳細の前にネットワークを使った機能の紹介などを行って、ユーザが何故設定を行う必要があるかを説明する。
【００３８】
図１２は、ユーザが「メニュー」から操作を開始し、「ネットワーク設定」の操作において、操作ガイドキーを押下した際のガイドデータの画面表示を示す図である。
【００３９】
この時の操作履歴データ８の内容を図１３に示す。「メニュー」、「初期設定」、「ネットワーク」、「ネットワーク設定」の順に操作が行われ、操作履歴データ８には、「ＭＥＮＵ」、「ＦＩＲＳＴ＿ＳＥＴ」、「ＮＥＴＷＯＲＫ」、「ＮＥＴＷＯＲＫ＿ＳＥＴ」が格納される。
【００４０】
この操作履歴データを基に、操作ガイド関連付けデータ７を検索し、取得した操作ガイド関連付けデータを図１４に示す。この時の操作ポイントデータは「メニュー」（ＭＥＮＵ）であり、キーコマンドは「ＭＥＮＵ」−「ＦＩＲＳＴ＿ＳＥＴ」−「ＮＥＴＷＯＲＫ」−「ＮＥＴＷＯＲＫ＿ＳＥＴ」であり、対応する電子ガイドのガイドページ３２を表示手段「Ｃ３」で表示する。
【００４１】
図１５は、ユーザが「エラーメッセージ」から操作を開始し、表示された「エラーメッセージ」の種類に応じて、その後の「ネットワーク設定」の操作において、操作ガイドキーを押下した際に、異なるガイドデータの画面表示を示す図である。
【００４２】
この時の操作履歴データ８の内容を図１６に示す。「エラーメッセージ」、「ネットワーク設定未実施のエラーメッセージ」、「ネットワーク設定」の順に画面表示が行われた際には、操作履歴データ８には、「ＥＲＲ＿ＭＥＳ」、「ＮＥＴ＿ＮＯ＿ＳＥＴ」、「ＮＥＴＷＯＲＫ＿ＳＥＴ」が格納され、「エラーメッセージ」、「ネットワーク設定に問題ありのエラーメッセージ」、「ネットワーク設定」の順に画面表示が行われた際には、操作履歴データ８には、「ＥＲＲ＿ＭＥＳ」、「ＮＥＴ＿ＳＥＴ＿ＥＲＲ」、「ＮＥＴＷＯＲＫ＿ＳＥＴ」が格納される。
【００４３】
この操作履歴データを基に、操作ガイド関連付けデータ７を検索し、取得した操作ガイド関連付けデータを図１７に示す。この時の操作ポイントデータは「エラーメッセージ」（ＥＲＲ＿ＭＥＳ）であり、キーコマンドが「ＥＲＲ＿ＭＥＳ」−「ＮＥＴ＿ＮＯ＿ＳＥＴ」−「ＮＥＴＷＯＲＫ＿ＳＥＴ」の時は、対応する電子ガイドのガイドページ３２を表示手段「Ｂ２」で表示し、キーコマンドが「ＥＲＲ＿ＭＥＳ」−「ＮＥＴ＿ＳＥＴ＿ＥＲＲ」−「ＮＥＴＷＯＲＫ＿ＳＥＴ」の時は、対応する電子ガイドのガイドページ３２を表示手段「Ｃ２」で表示し、発生したエラーメッセージの種類に応じて、同じ「ネットワーク設定」で表示する電子ガイド情報において、異なる部分を強調して表示し、発生したエラーに対する最適な処置をユーザに知らせることができる。
【００４４】
なお電子ガイド情報の一部を強調する方法として、強調すべき文字のサイズを変更する、文字のフォントを変更する、あるいは文字の表示色を変える等の方法がある。
【００４５】
以上のように、同じ操作で表示する操作ガイドに関して、その操作に至る操作履歴を記憶し、その相違に基づき操作ガイドを選択することによって、その時の操作に応じた異なる最適な操作ガイドを表示することが可能となる。
【００４６】
（実施の形態３）
本発明による実施の形態３を図面に基づいて説明する。実施の形態３は１つの操作ガイドが、複数の異なる操作によって表示される例である。本実施の形態による受信装置の構成を示す機能ブロック図は実施の形態１と同一であり、説明を省略する。
【００４７】
図１８は、ユーザが「メニュー」から操作を開始し、「テスト実行」の操作において、操作ガイドキーを押下した際のガイドデータの画面表示を示す図である。
【００４８】
「メニュー」、「初期設定」、「ネットワーク」、「接続テスト」、「テスト実行」の順に操作が行われ、操作履歴データ８には、「ＭＥＮＵ」、「ＦＩＲＳＴ＿ＳＥＴ」、「ＮＥＴＷＯＲＫ」、「ＣＯＮ＿ＴＥＳＴ」、「ＴＥＳＴ」が格納される。
【００４９】
この操作履歴データを基に、操作ガイド関連付けデータ７を検索し、取得した操作ガイド関連付けデータを図２０に示す。この時の操作ポイントデータは「メニュー」（ＭＥＮＵ）であり、キーコマンドは「ＦＩＲＳＴ＿ＳＥＴ」−「ＮＥＴＷＯＲＫ」−「ＣＯＮ＿ＴＥＳＴ」−「ＴＥＳＴ」であるため、電子ガイドの３２ページを表示手段「Ｃ３」で表示する。
【００５０】
図１９は、ユーザが「メニュー」から操作を開始し、「ネットアプリ」を起動した際にエラーメッセージが表示され、その時に操作ガイドキーを押下した際のガイドデータの画面表示を示す図である。
【００５１】
「メニュー」、「ネット接続」、「ネットアプリ」、「ネットアプリのエラーメッセージ」の順に画面表示が行われ、操作履歴データ８には、「ＭＥＮＵ」、「ＮＥＴ＿ＣＯＮ」、「ＮＥＴ＿ＡＰＰ」、「ＡＰＰ＿ＥＲＲ」が格納される。
【００５２】
この操作履歴データを基に、操作ガイド関連付けデータ７を検索し、取得した操作ガイド関連付けデータを図２０に示す。この時の操作ポイントデータは「メニュー」（ＭＥＮＵ）であり、キーコマンドは「ＮＥＴ＿ＣＯＮ」−「ＮＥＴ＿ＡＰＰ」−「ＡＰＰ＿ＥＲＲ」であるため、電子ガイドの３２ページを表示手段「Ｄ２」で表示する。
【００５３】
以上のように、異なる複数の操作に対して、同じ操作ガイドが、その操作に対応した表示形式で表示することができるため、操作毎に重複して操作ガイドを保持する必要がなく、データ蓄積部５における電子ガイドデータのデータ量を削減できるとともに、電子ガイドデータの作成負荷の軽減をはかることができる。
【産業上の利用可能性】
【００５４】
本発明にかかるデジタル放送受信装置は、受信装置が電子データの表示を行う電子ガイド機能を実現できている場合に、ユーザに対して、操作に沿った電子ガイド情報を掲示することができ、ユーザの操作利便性を向上させるので、家庭用デジタルテレビや携帯型のテレビ、あるいは車載テレビ等に有用である。
【図面の簡単な説明】
【００５５】
【図１】本発明の一実施の形態に係る受信装置を示す機能ブロック図
【図２】本発明の一実施の形態における電子ガイド表示の処理を示すフローチャート
【図３】本発明の実施形態１における操作履歴データのデータ形式を示す図
【図４】本発明の実施形態１における操作ガイド関連付けデータに含まれる状態遷移テーブルを示す図
【図５】本発明の実施形態１における操作ガイド関連付けデータに含まれる表示制御テーブルを示す図
【図６】本発明の実施形態１における合成前のガイドデータの内容を示す図
【図７】本発明の実施形態１における「ＨＩＤＥ」という表現パターンを合成した後の画面表示を示す図
【図８】本発明の実施形態１における「ＰＩＣＫＵＰ」という表現パターンを合成した画面表示を示す図
【図９】本発明の実施形態２における操作の流れを示す図
【図１０】本発明の実施形態２における操作履歴データのデータ形式を示す図
【図１１】本発明の実施形態２における操作ガイド関連付けデータに含まれる状態遷移テーブルを示す図
【図１２】本発明の実施形態２における他の操作の流れを示す図
【図１３】本発明の実施形態２における他の操作履歴データのデータ形式を示す図
【図１４】本発明の実施形態２における他の操作ガイド関連付けデータに含まれる状態遷移テーブルを示す図
【図１５】本発明の実施形態２におけるその他の操作の流れを示す図
【図１６】本発明の実施形態２におけるその他の操作履歴データのデータ形式を示す図
【図１７】本発明の実施形態２におけるその他の操作ガイド関連付けデータに含まれる状態遷移テーブルを示す図
【図１８】本発明の実施形態３における操作の流れを示す図
【図１９】本発明の実施形態３における他の操作の流れを示す図
【図２０】本発明の実施形態３における操作ガイド関連付けデータに含まれる状態遷移テーブルを示す図
【符号の説明】
【００５６】
１    デジタル放送受信装置
２    操作入力部
３    操作保存部
４    画面表示部
５    データ蓄積部
６    電子ガイドデータ
７    操作ガイド関連付けデータ
８    操作履歴データ
９    画面制御部
１０    データ合成部
１１    データ抽出部
【図１】
2008288659.tif 000003
【図２】
2008288659.tif 000004
【図３】
2008288659.tif 000005
【図４】
2008288659.tif 000006
【図５】
2008288659.tif 000007
【図６】
2008288659.tif 000008
【図７】
2008288659.tif 000009
【図８】
2008288659.tif 000010
【図９】
2008288659.tif 000011
【図１０】
2008288659.tif 000012
【図１１】
2008288659.tif 000013
【図１２】
2008288659.tif 000014
【図１３】
2008288659.tif 000015
【図１４】
2008288659.tif 000016
【図１５】
2008288659.tif 000017
【図１６】
2008288659.tif 000018
【図１７】
2008288659.tif 000019
【図１８】
2008288659.tif 000020
【図１９】
2008288659.tif 000021
【図２０】
2008288659.tif 000022